(57)【特許請求の範囲】
【請求項１】
人の頭部形状に関する高次の基底ベクトルの中の、顔の印象傾向と相関がある少なくとも一つの所定次の基底ベクトルの重み係数が互いに異なる、第一および第二の頭部画像が対比可能に配置されていることを特徴とする顔印象判定チャート。
【請求項２】
前記第一および第二の頭部画像からなる画像ペアを複数組含み、
一の組の前記画像ペアにかかる前記第一および第二の頭部画像は、第１の高次の重み係数が互いに異なり、
他の組の前記画像ペアにかかる前記第一および第二の頭部画像は、第２の高次の重み係数が互いに異なることを特徴とする請求項１に記載の顔印象判定チャート。
【請求項３】
前記第一および第二の頭部画像からなる画像ペアを、顔の印象傾向と相関がある複数次の基底ベクトルに対応する数分、含み、
各画像ペアにかかる前記第一および第二の頭部画像は、前記複数次の中の、画像ペア固有の所定次数の重み係数が互いに異なる、
請求項１又は２に記載の顔印象判定チャート。
【請求項４】
顔印象の傾向と、前記重み係数の次数と、の関係を示す印象対応チャートをさらに含む請求項１から３のいずれか一項に記載の顔印象判定チャート。
【請求項５】
第三の頭部画像をさらに含み、前記第三の頭部画像の前記少なくとも一つの所定次の基底ベクトルの前記重み係数が、前記第一の頭部画像の前記重み係数と前記第二の頭部画像の前記重み係数との中間の大きさである請求項１から４のいずれか一項に記載の顔印象判定チャート。
【請求項６】
前記第一の頭部画像と前記第二の頭部画像とに連続的に遷移する動画像である請求項１から５のいずれか一項に記載の顔印象判定チャート。
【請求項７】
前記第一および第二の頭部画像が、共通のテクスチャを備えている請求項１から６のいずれか一項に記載の顔印象判定チャート。
【請求項８】
前記第一および第二の頭部画像がシート上に印刷されている請求項１から７のいずれか一項に記載の顔印象判定チャート。
【請求項９】
前記第一および第二の頭部画像がディスプレイ装置に表示されている請求項１から７のいずれか一項に記載の顔印象判定チャート。
【発明の詳細な説明】
【技術分野】
【０００１】
本発明は、被験者の顔印象を判定するための顔印象判定チャートに関する。
【背景技術】
【０００２】
従来の美容カウンセリング方法の一例として、年代別の平均的な顔と顧客である被験者の顔との比較検討結果を指標として、エイジング（加齢）に伴う被験者の顔立ちの形状変化を定性的に把握することが行われている。たとえば、ほうれい線や頬の弛みなどの形状的な特徴が被験者の実年齢の割に目立って発現しているかどうか、などを指標としてエイジングの傾向を評価することが一般的である。
【０００３】
しかしながら、このような評価指標は客観的なものではない。このため、特に女性の被験者にとってエイジングへの関心は一般に高いにもかかわらず、その評価結果はカウンセラーの主観に大きく委ねられていた。
【０００４】
被験者の顔形状を客観的に評価する発明としては、顔を含む頭部の三次元形状情報を装置で計測し、顔の複数箇所における曲面の曲率の分布を算出することによって顔形状を評価する方法が提案されている（特許文献１を参照）。この方法では、被験者の顔の三次元形状情報に基づいて顔の凹凸部分の曲率を算出する。そして、顔の特定箇所の曲面の曲率と年齢との相関関係から、被験者の加齢の程度を推定する。
【先行技術文献】
【特許文献】
【０００５】
【特許文献１】特開２００９−０５４０６０号公報
【発明の概要】
【発明が解決しようとする課題】
【０００６】
しかしながら、特許文献１の方法を実施する場合には、被験者の顔の三次元形状情報を取得したうえでその解析を行う必要がある。このため、化粧品販売店やメイクアップサロンの店頭でカウンセラーが顧客の顔形状を評価する場合など、この方法を実施することが困難な場合がある。
【０００７】
本発明は上述の課題に鑑みてなされたものであり、被験者の顔形状を客観的かつ簡易に評価することを可能にするものである。
【課題を解決するための手段】
【０００８】
本発明をなすにあたり、本発明者は、多数の被験者の顔表面の三次元座標データを取得し、このデータに対して統計的な解析手法である多変量解析を用いて基底ベクトルを抽出した。そして本発明者は、一次の基底ベクトルが顔の物理的な大小に寄与するのに対し、幾つかの高次の基底ベクトルは顔の造作の印象傾向と高い相関があることを見出した。さらに本発明者は、かかる高次の基底ベクトルの重み係数を相違させた頭部画像同士を対照することで、その基底ベクトルが人の顔形状においてどのように発現するかという傾向を視覚的に把握することができることに想到し、もって本発明の完成に至った。
【０００９】
すなわち、本発明の顔印象判定チャートは、人の頭部形状に関する高次の基底ベクトルについて、少なくとも一つの重み係数が互いに異なる第一および第二の頭部画像が対比可能に配置されていることを特徴とする。
【００１０】
上記発明によれば、第一の頭部画像と第二の頭部画像との差異にあたる特徴量が被験者の顔に発現している度合いを判断指標として、被験者の顔における当該基底ベクトルの固有値を定量評価することが可能である。
【発明の効果】
【００１１】
本発明の顔印象判定チャートによれば、被験者の顔形状を簡易かつ客観的に評価することができる。すなわち、本発明の顔印象判定チャートは、被験者の顔形状の特徴を目視的に定量評価するための判断指標となる。このため、カウンセラー等のユーザは、被験者の顔形状に関する客観的な評価結果に基づいて、メイクアップアドバイス等のカウンセリングを正確に行うことが可能である。
【図面の簡単な説明】
【００１２】
【図１】本発明の実施形態にかかる顔印象判定チャートの一例を示す図である。
【図２】印象対応チャートの一例を示す図である。
【図３】（ａ）は被験者の頭部全体の三次元光学データであり、同図（ｂ）は１３点の特徴点を示す図であり、同図（ｃ）はジェネリックモデルを示す図である。
【図４】相同モデルを示す斜視図である。
【図５】（ａ）から（ｅ）は、２０歳代から６０歳代の各年代の被験者の平均顔形状をそれぞれ示す図である。
【図６】（ａ）は２０歳代と３０歳代の被験者の平均顔形状を示し、同図（ｂ）は２０歳代から６０歳代の全年代の被験者の平均顔形状を示し、同図（ｃ）は５０歳代と６０歳代の被験者の平均顔形状を示す。
【図７】第一実施形態にかかる母集団解析モデルに関する主成分分析結果の例を表すテーブルである。
【図８】図７の分析結果に対応する１次から１５次までの主成分が帰属する形状変化の特徴を表すテーブルである。
【図９】第１主成分を反映させた仮想形状の斜視図である。
【図１０】第２主成分を反映させた仮想形状の斜視図であり、顔印象判定チャートの第１の変形例である。
【図１１】第３主成分を反映させた仮想形状の斜視図であり、顔印象判定チャートの第２の変形例である。
【図１２】第４主成分を反映させた仮想形状の斜視図であり、顔印象判定チャートの第３の変形例である。
【図１３】第５主成分を反映させた仮想形状の斜視図であり、顔印象判定チャートの第４の変形例である。
【図１４】第６主成分を反映させた仮想形状の斜視図であり、顔印象判定チャートの第５の変形例である。
【図１５】第７主成分を反映させた仮想形状の斜視図であり、顔印象判定チャートの第６の変形例である。
【図１６】第８主成分を反映させた仮想形状の斜視図であり、顔印象判定チャートの第７の変形例である。
【図１７】第９主成分を反映させた仮想形状の斜視図であり、顔印象判定チャートの第８の変形例である。
【図１８】第１０主成分を反映させた仮想形状の斜視図であり、顔印象判定チャートの第９の変形例である。
【図１９】第１１主成分を反映させた仮想形状の斜視図であり、顔印象判定チャートの第１０の変形例である。
【図２０】第１２主成分を反映させた仮想形状の斜視図であり、顔印象判定チャートの第１１の変形例である。
【図２１】第１３主成分を反映させた仮想形状の斜視図であり、顔印象判定チャートの第１２の変形例である。
【図２２】第１４主成分を反映させた仮想形状の斜視図であり、顔印象判定チャートの第１３の変形例である。
【図２３】第１５主成分を反映させた仮想形状の斜視図であり、顔印象判定チャートの第１４の変形例である。
【図２４】基底次数ごとの重み係数と見掛け年齢との相関係数を示すテーブルである。
【図２５】ｔ検定結果を示す表である。
【図２６】基底次数ごとの重み係数と実年齢との相関関係を示すテーブルである。
【図２７】９次の基底ベクトルに関して±３σまで１σずつ基底ベクトルの重み係数を変化させた６枚の画像である。
【図２８】エイジング印象因子を変化させたときの仮想形態の年齢印象の変化を表すグラフである。
【図２９】（ａ）から（ｄ）は、エイジング印象軸を複数組みあわせた相同モデルの斜視図である。
【図３０】美容情報テーブルの一例を示す図である。
【発明を実施するための形態】
【００１３】
以下、本発明の実施形態を図面に基づいて説明する。図１は本発明の実施形態にかかる顔印象判定チャート１０の一例を示す図である。
【００１４】
この顔印象判定チャート１０は、人の頭部形状に関する高次の基底ベクトルについて、少なくとも一つの重み係数が互いに異なる第一の頭部画像２０および第二の頭部画像３０が対比可能に配置されたものである。
【００１５】
顔印象判定チャート１０は、カウンセラーや美容師などの美容専門家、または個人が、被験者である他人または自分自身の顔形状の傾向を判定するための指標である。
ここで、頭部画像とは、人の顔の少なくとも一部を含むと認識されるデジタルまたはアナログの画像である。具体的には、人の顔を含む頭部を被写体とする写真、人の頭部またはその写真を写実的に模した図画、人の頭部表面の二次元または三次元座標データを含む解析モデルをプリポストプロセッサで描画したデジタル画像などが例示される。
【００１６】
顔印象判定チャート１０は、紙または樹脂のシートに印刷された印刷物でもよく、またはディスプレイ装置に映し出された画面でもよい。すなわち、第一の頭部画像２０および第二の頭部画像３０が顔印象判定チャート１０に配置されているとは、これらの頭部画像がシート上に印刷されている状態、またはディスプレイ装置に表示されている状態を含む。
【００１７】
第一の頭部画像２０および第二の頭部画像３０が対比可能であるとは、これらの頭部画像が時間的または空間的に互いに連続していることをいう。具体的には、第一の頭部画像２０と第二の頭部画像３０とが隣接して配置されていること、第一の頭部画像２０と第二の頭部画像３０とが線や符号などにより対応づけられていること、第一の頭部画像２０と第二の頭部画像３０とに連続的に遷移する動画像であること、第一の頭部画像２０と第二の頭部画像３０とが個別のシートに印刷されていて並べて配置可能であること、を含む。本実施形態の顔印象判定チャート１０においては、図１に示すように、第一の頭部画像２０と第二の頭部画像３０とが互いに矢印で対応づけられていることにより対比可能である。
【００１８】
第一の頭部画像２０と第二の頭部画像３０とは、形状因子に関する二次以上の基底ベクトルの一つの重み係数が互いに相違し、他の次数の基底ベクトルの重み係数が共通である。
【００１９】
ここで、頭部画像における基底ベクトルとは、人の頭部形状がもつ特徴量を表現するベクトルである。一次の基底ベクトルは、主として顔全体の物理的な大小を表すベクトルであり、二次以上の高次の基底ベクトルは、主として顔の部分的な特徴形状を表すベクトルである。第一の頭部画像２０および第二の頭部画像３０における基底ベクトルの重み係数が互いに異なることは、多数の被験者の頭部形状を母集団とする多変量解析によって明らかとなる。まず、多数の被験者の頭部表面の二次元座標データまたは三次元座標データを取得して顔情報の母集団（以下、母集団顔情報とする）を生成し、この母集団顔情報を多変量解析して基底ベクトル（固有ベクトル）を抽出する。ここで、任意の頭部形状（被験者頭部形状）は、下記の式（１）に示すように基底ベクトルの線形和に分解することができる。b1~nは、基底ベクトルe1~nの重み係数（固有値）である。平均顔形状は、母集団顔情報の顔形状を平均化した形状である。そして、bk（ｋは次数を表す２以上の整数。以下同様。）の値が互いに相違する二つの被験者頭部形状を任意の表示方向からそれぞれ表した画像が示す二つの顔形状と、第一および第二の頭部画像２０、３０が示す顔形状と、がそれぞれ所定以上の類似度をもっていることをもって、これらの頭部画像における基底ベクトルの重み係数が互いに異なることが確認される。
【００２０】
（数１）
被験者頭部形状＝平均顔形状＋b1＊第１基底ベクトルe1＋b2＊第２基底ベクトルe2＋b3＊第３基底ベクトルe3＋・・・＋bk＊第ｋ基底ベクトルek＋・・・＋bn＊第ｎ基底ベクトルen      （１）
【００２１】
図１で＋３．０ＳＤと表示された第二の頭部画像３０は、任意の高次の基底ベクトルの重み係数bkをプラス３σ値としたものである。同図で−３．０ＳＤと表示された第一の頭部画像２０は、この重み係数bkをマイナス３σ値としたものである。ここで、プラス３σ値とは、母集団顔情報における重み係数bkのスコア分布から求まる平均値＋３σ（標準偏差の３倍）の値である。同様に、マイナス３σ値とは、母集団顔情報における重み係数bkの平均値−３σの値である。
【００２２】
すなわち、第一の頭部画像２０と第二の頭部画像３０の一方は、ある高次の基底ベクトルが強調して表示され、他方は当該基底ベクトルが抑制されて表示されている。なお、本実施形態に代えて、第一または第二の頭部画像の一方（たとえば第一の頭部画像２０）を平均顔形状としてもよい。
【００２３】
本実施形態の顔印象判定チャート１０は、第三の頭部画像４０をさらに含む。第三の頭部画像４０の高次の基底ベクトルの重み係数bkは、当該次数にかかる第一の頭部画像２０の重み係数bkと第二の頭部画像３０の重み係数bkとの中間の大きさである。より具体的には、第三の頭部画像４０は平均顔形状である。本実施形態では、第三の頭部画像４０を中心として、重み係数bkをプラス方向とマイナス方向に変化させた第一の頭部画像２０および第二の頭部画像３０をその両側に並べて配置してある。本実施形態によれば、平均顔形状である第三の頭部画像４０と、基底ベクトルを強調した場合の第二の頭部画像３０と、これを抑制した場合の第一の頭部画像２０と、の三者を対比することができる。これにより、当該基底ベクトルが顔形状に発現した場合の見た目の印象（顔印象）を明確に把握することができる。
【００２４】
本実施形態の顔印象判定チャート１０は、第一の頭部画像２０および第二の頭部画像３０からなる画像ペアを複数組含む。本実施形態の顔印象判定チャート１０には、図１に示すように、２次基底（ｐｃａ０２）、７次基底（ｐｃａ０７）、９次基底（ｐｃａ０９）、１１次基底（ｐｃａ１１）の重み係数b2, b7, b9, b11を個別に±３σに変化させた４組の画像ペアが配置されている。
一の組の画像ペア（たとえばｐｃａ０２）にかかる第一の頭部画像２０および第二の頭部画像３０は、第１の高次（２次）の重み係数b2が互いに異なる。そして、他の組の画像ペア（たとえばｐｃａ０７）にかかる第一の頭部画像２０および第二の頭部画像３０は、第２の高次（７次）の重み係数b7が互いに異なる。
【００２５】
第三の頭部画像４０は一枚であり、各組の画像ペアの中央に配置されている。本実施形態の顔印象判定チャート１０は、中央の第三の頭部画像４０を基準として、各次数の基底ベクトルが個別に顔形状に発現した場合の顔印象の相違を把握することができる。
【００２６】
本実施形態の第一から第三の頭部画像２０〜４０は互いに相同な顔形状である。本実施形態に代えて、第一から第三の頭部画像２０〜４０のいずれかが、他の頭部画像と非相同な顔形状であってもよい。
【００２７】
図２は、印象対応チャート５０のテーブルの例を表している。顔印象判定チャート１０は、顔印象の傾向と、重み係数の次数と、の関係を示す印象対応チャート５０をセットとして含んでいる。印象対応チャート５０は、一または複数の印象傾向のパターンと、その印象傾向に対する相関が高い基底次数と、を対応付けた情報である。本実施形態の印象対応チャート５０はパターン１から４の少なくとも４つを含む。
【００２８】
印象対応チャート５０に含まれる顔印象の傾向は、被験者の見掛け年齢、実年齢、大人顔もしくは童顔の程度、または小顔印象の程度、のいずれか一以上である。図２では、これらの全部が挙げられている。
【００２９】
ここで、中高年女性をはじめとする幅広い多くの被験者にとっての「見られたい印象」としては、「若く見られること」をまず挙げることができる。女性のみならず男性に関しても、特に中高年者の場合には見掛け年齢を若く維持することに一般に関心が高い。このことから、被験者の顔において加齢（エイジング）を印象づける因子を定量化することは極めて有用と考えられる。被験者の顔の造作から印象づけられる見掛け年齢が実年齢よりも若いか否かを定量化することにより、仕上がりの満足度の高いメイクアップや美容マッサージ等の美容施術を提供することができる。
【００３０】
パターン１は、被験者の見掛け年齢の高低と相関の高い基底次数が２次、７次、９次および１１次であることを示している。後記に詳述するように、本発明者の検討により、これらの次数の基底ベクトルの重み係数を増加または減少させることで、被験者の見掛け年齢が高くなることが明らかとなっている。
【００３１】
パターン２は、被験者の実年齢の高低が、同じく２次、７次、９次および１１次の基底ベクトルの重み係数と高い相関を有することを示している。すなわち、パターン１と２は、見掛け年齢の傾向と実年齢の傾向が共通する次数の基底ベクトルと相関していることを表している。
パターン３は、被験者の顔が大人びて見える（大人顔）か、または子供っぽく見える（童顔）か、という印象傾向が３次の基底ベクトルの重み係数と相関することを表している。
パターン４は、被験者の顔が小さく見える（小顔）という印象傾向が３次および１２次の基底ベクトルの重み係数と相関することを表している。
【００３２】
図１の顔印象判定チャート１０と図２の印象対応チャート５０とを併用することにより、被験者の顔印象の傾向を判定することができる。具体的には、図１の顔印象判定チャート１０を参照して被験者の顔形状を目視観察することにより、２次、７次、９次または１１次の基底ベクトルが被験者の顔に強く発現しているか、または逆に当該基底ベクトルの発現度合いが平均以下であるか、を把握することができる。そのうえで印象対応チャート５０を参照することで、２次、７次、９次および１１次の基底ベクトルのうち被験者の顔に発現していると認められる基底の数を判断基準として、被験者の顔印象がパターン１またはパターン２に属する度合いを定量化することができる。
同様に、３次や１２次の基底ベクトルが発現した顔形状を対比して配置した他の顔印象判定チャート（図示せず）を参照すれば、被験者の顔印象がパターン３またはパターン４に属する度合いを定量化することができる。
【００３３】
各パターンに対応づけられた基底次数には、官能評価結果に基づいて設定された重率が付与されていてもよい。後述するように、７次および９次の基底ベクトルは見掛け年齢および実年齢と特に高い相関をもつことから、これらの次数には高い重率（大きなポイント）を付与するとよい。２次および１１次にはこれよりも低い重率（小さなポイント）を付与するとよい。そして、被験者の顔に発現している基底のポイントを合計することで、より詳細に被験者の顔印象を分析することができる。
【００３４】
以下、顔印象判定チャート１０の作成方法の一例を具体的に説明する。
【００３５】
多数の被験者の頭部表面の座標データを取得して母集団顔情報を生成する。本実施形態では、２０歳代から６０歳代の各年代３０名、合計１５０名の日本人女性を被験者としている。本実施形態では、接触式計測装置を用いて、被験者の顔を含む頭部の表面の三次元座標値を顔形状情報として取得する。さらに、非接触式の三次元計測装置を用いて、被験者の頭部の表面の他の点の三次元座標値を取得する。接触式計測装置としては、プローブ針を頭皮に接触させて頭皮表面の任意位置の三次元座標を取得する接触式三次元デジタイザが例示される。非接触式計測装置としては三次元レーザースキャナが例示される。その他の非接触式計測としては、レンズ焦点法やステレオ法等も用いることができる。
【００３６】
頭髪の影響を受けずに頭皮表面の三次元座標を正確に計測する観点からは、頭髪が生えている前頭から後頭までの三次元座標は、接触式計測装置で計測することが好ましい。頭髪の影響のない額以下の顔表面の三次元座標は、計測時間の短さから非接触式計測装置を用いて測定するとよい。非接触式計測装置による三次元座標の計測時には、頭髪の影響を低減するため、被験者の頭髪にネットキャップ等の保護部材を被覆しておこなってもよい。この場合は、三次元レーザースキャナなどの光学式の計測装置のみで頭皮表面の三次元座標を測定することができる。非接触式計測装置を使用することで、被験者の頭部表面から、一例として十万点を超える多数点の三次元座標を計測することができる。さらに、被験者の顔表面の幾つかの特徴点に関しては接触式計測装置を用いて高精度でその三次元座標を計測するとよい。かかる特徴点としては、頭蓋骨表面の特徴点（解剖学的特徴点）および皮膚表面の特徴点を挙げることができる。解剖学的特徴点としては、眼窩下点、眼窩上縁中央、眼窩内縁点、外耳道上縁点、鼻根点または頬骨弓点を例示することができる。皮膚表面の特徴点としては、目頭点、目尻点、耳珠上縁点、上耳底点、下耳底点、鼻下点、鼻尖点、口角点、口点または顎角点を例示することができる。
【００３７】
このようにして多数の被験者に対して共通の特徴点の三次元座標を計測して母集団顔情報を生成することで、互いの三次元形状モデルを規格化して相同モデル化することができる。このように、非接触式計測装置と接触式計測装置とを併用することで、頭皮表面の三次元座標を高精度で取得することができる。ただし、非接触式または接触式の計測装置のいずれか一方のみを用いて顔を含む頭部の表面の三次元座標を取得してもよい。
【００３８】
図３（ａ）は、被験者の顔を含む頭部を非接触式の三次元レーザースキャナで計測した頭部全体の三次元光学データ（高解像度データ）である。計測点は約１８万点である。この高解像度データは、被験者ごとに節点数とトポロジーが異なる。
図３（ｂ）は、被験者の顔および頭皮部の１３点の特徴点を示す図である。これらの点の三次元座標を、接触式三次元デジタイザで計測する。
図３（ｃ）は、ジェネリックモデルを示す図である。ジェネリックモデルは、目元と口元の節点の配置密度が大きく、頭皮部の節点の配置密度が小さいモデルである。節点数は４７０３点である。
【００３９】
図４は、被験者ごとの高解像度データの節点数とトポロジーを相同化した相同モデルを示す斜視図である。高解像度データにおける１３点の特徴点の座標値と、ジェネリックモデルの特徴点の座標値とを位置合わせした状態で、高解像度データの表面にジェネリックモデルの他の座標を貼り付けることで、対象者の相同モデルは作成される。相同モデルは、節点数とトポロジーが共通化されているので、多数の被験者を集めることで多変量解析をすることができる。
【００４０】
図５（ａ）から（ｅ）は、２０歳代から６０歳代の各年代の被験者（各年代について１０名）の相同モデルの平均顔形状をそれぞれ示す図である。相同モデルでは三次元座標が抽出され、テクスチャは捨象されている。そして、この相同モデルを各年代で平均することで、被験者の顔の個体差の影響が排除される。このため、各年代の平均顔形状には、年代の進行によって遷移していく顔形状の特徴が現れる。
【００４１】
図６（ａ）は２０歳代と３０歳代の合計２０名の若年者の被験者の相同モデルの平均顔である。同図（ｂ）は２０歳代から６０歳代の合計５０名の全年代の被験者の相同モデルの平均顔である。同図（ｃ）は５０歳代と６０歳代の合計２０名の高齢者の被験者の相同モデルの平均顔である。
図５（ａ）と図５（ｅ）、および図６（ａ）と図６（ｃ）をそれぞれ対比すると、年齢の進行により、ほうれい線が深くなり、また頬が緩んで膨化していることが分かる。かかる特徴は相同モデルの主成分分析により客観化および定量化される。
【００４２】
母集団顔情報を構成する多数の相同モデル（母集団解析モデル）を多変量解析して複数次の基底ベクトルを抽出する。具体的な多変量解析の一例として主成分分析（ＰＣＡ：principal component analysis）を挙げる。本実施形態では、母集団解析モデルの顔形状に関して主成分分析をおこない、複数次の基底ベクトルekを算出する。基底ベクトルekは、母集団解析モデルの共分散行列の固有ベクトル解析により求められる。各次の基底ベクトルは互いに直交している。基底ベクトルの最高次数ｎは特に限定されないが、寄与率１％以上の基底ベクトルが総て抽出されるように最高次数ｎを設定するとよい。
【００４３】
図７は、２０歳代から６０歳代の各年代で１０名、合計５０名の日本人女性を母集団とする母集団解析モデルに関する主成分分析結果の例を表すテーブルである。同図は、寄与率１％以上の基底ベクトルが１次（ｐｃａ０１）から１５次（ｐｃａ１５）まで１５個存在した場合を示している。すなわち、日本人の２０歳代から６０歳代の女性（以下、日本人成人女性）の頭部形態が１５軸によってほぼ説明できることとなる。
【００４４】
本実施形態の顔印象判定チャート１０に採用されている高次の基底ベクトルの寄与率は１％以上である。そして、第一の頭部画像２０および第二の頭部画像３０は、かかる高次基底を除く寄与率が１％以上の他の基底ベクトルの重み係数を共通としている。
【００４５】
なお、８０歳代またはそれ以上の年代になると、一般に頭部の骨自体が痩せてくる傾向があるといわれており顔印象が変わりやすい。また、１０歳代前半までは一般的に骨格の成長時期にあたるので、顔印象も変わりやすい。このような骨の変化による顔印象の変化は、頭部表面の三次元形状の主成分分析では現れにくいため本実施形態ではこれを排除する。よって母集団は２０歳代から６０歳代までとした。これにより、本実施形態で作成される顔印象判定チャート１０を参照して被験者の顔印象を分析することで、筋肉や脂肪の影響によるエイジングの進行が精度よく抽出される。
【００４６】
図８は、図７の分析結果に対応する１次から１５次までの主成分が帰属する形状変化の特徴を表すテーブルである。
【００４７】
図９から図２３は、第１主成分（ｐｃａ０１）から第１５主成分（ｐｃａ１５）をそれぞれ反映させた仮想形状の斜視図である。図９で０．０ＳＤと表記された同図（ｂ）は、全年代の平均の仮想形状を示す斜視図であり、図６（ｂ）と同じものである。＋３．０ＳＤと表記された図９（ｃ）は、上記の式（１）の第１基底ベクトルの重み係数（b1）を母集団の標準偏差の＋３倍（＋３σ）とし、他の基底ベクトルの重み係数（b2〜bn）をゼロとした場合の仮想形状の斜視図である。一方、−３．０ＳＤと表記された図９（ａ）は、第１基底ベクトルの重み係数（b1）を母集団の標準偏差の−３倍（−３σ）とし、他の基底ベクトルの重み係数（b2〜bn）をゼロとした場合の仮想形状の斜視図である。
【００４８】
図１０から図２３は、それぞれ第２基底ベクトルから第１５基底ベクトルに関して、それぞれ同様に重み係数を±３σとした場合の仮想形状の斜視図を示している。各図（ａ）と各図（ｃ）が、第一の頭部画像２０と第二の頭部画像３０の一方または他方にそれぞれ該当し、各図（ｂ）が第三の頭部画像４０に該当する。すなわち、図１０から図２３は、それぞれ本実施形態の顔印象判定チャート１０の第１から第１４の変形例である。
【００４９】
以下、図９から図２３および図８を用いて各主成分の特徴を説明する。
第１主成分は、顔部の全体の大きさに寄与する。図９（ｃ）と図９（ａ）とを対比して分かるように、第１主成分の重み係数がプラス方向に大きくなると顔部は全体に細くかつ小さくなる。
【００５０】
一方、二次以上の高次の基底は顔の局所的な部分の形状に寄与する主成分である。本実施形態の顔印象判定チャート１０のような指標を用いることで、被験者の顔に発現している高次基底を定性的および定量的に評価することができる。
【００５１】
第２主成分は、顔の下膨れ具合、鼻両脇の膨らみ、および鼻の下の垂れ下がりに寄与する。図１０（ｃ）と図１０（ａ）とを対比して分かるように、第２主成分の重み係数がプラス方向に大きくなると顔は引き締まり、ほうれい線は薄くなる。後述するように、第２主成分がマイナス方向に大きくなると、見掛け年齢および実年齢が加齢方向に進行する。
【００５２】
第３主成分は、オトガイ高に寄与する。図１１（ｃ）と図１１（ａ）とを対比して分かるように、第３主成分の重み係数がプラス方向に大きくなると顎関節が発達して大人っぽい顔つきになる。すなわち大人顔の印象が進行する。逆に第３主成分の重み係数がマイナス方向に大きくなると童顔になる。そして、第３主成分がマイナス方向に進行すると、小顔印象が進行する。
【００５３】
第４主成分は、後頭の伸び、および眼窩幅に寄与する。図１２（ｃ）と図１２（ａ）とを対比して分かるように、第４主成分の重み係数がプラス方向に大きくなると後頭部は小さくなり、両眼の間隔が近づく。すなわち寄り目の傾向が進行する。
【００５４】
第５主成分は、前頭部の前突、および口部の前突に寄与する。図１３（ｃ）と図１３（ａ）とを対比して分かるように、第５主成分の重み係数がプラス方向に大きくなると前頭部および口部が前方に突き出す。
【００５５】
第６主成分は、全頭の高さに寄与する。図１４（ｃ）と図１４（ａ）とを対比して分かるように、第６主成分の重み係数がプラス方向に大きくなると目より上の長さが縮まる。逆に第６主成分の重み係数がマイナス方向に大きくなると額の長さが大きくなる。
【００５６】
第７主成分は、眼窩外側の前後位置、および鼻より下の伸びに寄与する。図１５（ｃ）と図１５（ａ）とを対比して分かるように、第７主成分の重み係数がプラス方向に大きくなると目尻が前進して目の立体感が減少し、鼻の下が伸びてほうれい線が深くなる。このため、第７主成分がプラス方向に大きくなると、顔が全体にしぼんだような印象を与えるため、見掛け年齢および実年齢が加齢方向に進行する。逆に、第７主成分がマイナス方向に進行すると、見掛け年齢および実年齢が若年齢方向に進行する。
【００５７】
第８主成分は、眼窩幅に寄与する。図１６（ｃ）と図１６（ａ）とを対比して分かるように、第８主成分の重み係数がプラス方向に大きくなると眼窩の外側同士の間隔が近づく。これにより、寄り目の傾向が進行する。
【００５８】
第９主成分は、目尻上方部の内下垂、および口角の引け具合に寄与する。図１７（ｃ）と図１７（ａ）とを対比して分かるように、第９主成分の重み係数がマイナス方向に大きくなると目尻が顔の内側下方に垂れ下がり、口角が後方に移動してほうれい線が深くなる。このため、見掛け年齢および実年齢が加齢方向に進行する。逆に、第９主成分の重み係数がプラス方向に大きくなると目尻は吊り上がり、口角は浅くなって若々しい印象となる。すなわち見掛け年齢および実年齢が若年齢方向に進行する。
【００５９】
第１０主成分は、顔のゆがみに寄与する。図１８（ｃ）と図１８（ａ）とを対比して分かるように、第１０主成分は顔の上部の左右方向のねじれに寄与している。
【００６０】
第１１主成分は、口の中央部の前突、および頬骨下部の扁平化に寄与する。図１９（ａ）と図１９（ｃ）とを対比して分かるように、第１１主成分の重み係数がマイナス方向に大きくなると頬が痩せて口の中央部が前方に突出し、口角がくぼむ。これにより、見掛け年齢および実年齢が加齢方向に進行する。また、第１１主成分の重み係数がマイナス方向に大きくなると、いわゆる「アヒル口」の印象傾向が進行する。
【００６１】
第１２主成分は、下顎のふくれに寄与する。図２０（ａ）と図２０（ｃ）とを対比して分かるように、第１２主成分の重み係数がマイナス方向に大きくなると下顎周辺が引き締まり小顔印象が進行する。
【００６２】
第１３主成分は、耳下および顎下の脂肪等の膨らみに寄与する。図２１（ａ）と図２１（ｃ）とを対比して分かるように、第１３主成分の重み係数がマイナス方向に大きくなると耳下および顎下に脂肪がついたように膨らみが大きくなる。
【００６３】
第１４主成分は、頭のゆがみに寄与する。図２２（ａ）と図２２（ｃ）とを対比して分かるように、第１４主成分は顔の下部の左右非対称性に寄与している。
【００６４】
第１５主成分は、顔部のゆがみに寄与する。図２３（ａ）と図２３（ｃ）とを対比して分かるように、第１５主成分は顔の下部の左右方向のねじれによる顔部のゆがみに寄与している。
【００６５】
図１に示した本実施形態の顔印象判定チャート１０は、全年代の被験者の相同モデルの平均顔である図６（ｂ）の画像を第三の頭部画像４０として中央に配置している。そして２次、７次、９次、１１次の基底ベクトルを加齢方向に強調した画像を第二の頭部画像３０とし、その反対方向（若化方向）に強調した画像を第一の頭部画像２０として、第三の頭部画像４０を挟んで配置してなる。
【００６６】
本実施形態の顔印象判定チャート１０を用いて被験者の見掛け年齢または実年齢の判定（以下、あわせてエイジング判定という）をおこなう場合には、２次、７次、９次、１１次の基底ベクトルが被験者の顔に発現しているか否か、およびその発現傾向がエイジングの進行方向であるか否か、を判定基準とするとよい。また、小学生から中高生の大人顔または童顔の度合いを判定する場合には、第３主成分の発現の有無を評価するとよい。そして、小顔印象の度合いを判定する場合には、第３および第１２主成分の発現の有無を評価するとよい。
【００６７】
これらの印象傾向と基底次数との関係を示すテーブルが、図２に示した印象対応チャート５０である。なお、主成分分析の対象となる母集団の人数や属性を変化させた場合には、この基底次数は変化する可能性がある。
【００６８】
以下、２次、７次、９次、１１次の基底ベクトルと、見た目の年齢の進行（エイジング印象）とが高い相関をもっていることをより詳細に説明する。
【００６９】
上述のように相同モデルが作成された２０歳代から６０歳代の各年代から１０名（合計５０名）の被験者の写真に基づいて、美容専門家５名が当該被験者の年齢を推定した。具体的には、この５名の推定年齢の平均値を「見掛け年齢」として算出した。また、各被験者の「実年齢」も調査した。
【００７０】
一方、この５０名の被験者全員を母集団として主成分分析を行い、寄与率１％以上の１５次までの基底ベクトルを求めた（図７を参照）。
【００７１】
被験者の第１から第１５基底の重み係数（固有値）と見掛け年齢との関係を求めた。図２４は、基底次数ごとの重み係数と見掛け年齢との相関係数を示すテーブルである。
２次、７次、９次および１１次の４つの基底次数に関して、見掛け年齢と高い相関がみられた。また、２次、９次および１１次は相関係数が負であり、７次は相関係数が正であった。これにより、２次、９次および１１次の主成分がマイナス方向に進行し、７次の主成分がプラス方向に進行することによりエイジング印象が進行することが分かった。
【００７２】
ここで、母集団の標本数（Ｎ）が５０の場合の５％有意水準の限界値は０．２７９である。したがって、７次および９次の絶対値は、いずれも５％有意水準の限界値よりも大きい。すなわち、７次および９次の特徴量は寄与率１％以上の基底ベクトル（主成分）であり、かつ印象傾向との相関係数が母集団の標本数での５％有意水準の限界値よりも大きい。したがって、７次および９次の基底ベクトルを用いてエイジングを判定することは統計的に確からしいといえる。
【００７３】
母集団を実年齢で二つの群に分け、基底次数ごとの重み係数と見掛け年齢との関係に有意差があるかどうかを検定した。具体的には、２０歳から４０歳の２０名と、４１歳から６９歳の３０名とに母集団を二つの群を分けてｔ検定をおこなった。図２５は、その結果を示す表である。７次と９次はｔ検定値が０．０５未満となり、他の基底次数のｔ検定結果は０．０５以上となった。よって、これらの７次および９次の主成分に関しては年齢による有意差が出ることが分かった。また、２次と１１次もｔ検定値は０．２未満であり、年齢による差異が現れていることが分かった。
【００７４】
すなわち、図１に示した本実施形態の顔印象判定チャート１０において、第一の頭部画像２０と第二の頭部画像３０とは、母集団の標本数での５％有意水準の限界値よりも大きい基底ベクトルの重み係数が互いに相違している。
【００７５】
なお、図２６は、母集団全体に関する基底次数ごとの重み係数と実年齢との相関関係を示すテーブルである。図２４と図２６とを比較すると、実年齢に関しても２次、７次、９次および１１次の４つの基底次数と高い相関があることが分かった。また、見掛け年齢と同様に、実年齢が進行すると、２次、９次および１１次は主成分がマイナス方向に進行し、７次は主成分がプラス方向に進行することが分かった。母集団を実年齢で二つの群に分け、基底次数ごとの重み係数と実年齢との関係に有意差があるかどうかをｔ検定したところ、図２５に示した結果とほぼ同様の傾向がみられた（図示省略）。
【００７６】
以上より、エイジング判定に関しては、被験者の見掛け年齢と実年齢を同様に扱うことができることが分かった。すなわち、本発明を用いて被験者の見掛け年齢を判定することができるとともに、年齢不明の被験者の実年齢の推定をすることもできることがわかった。
【００７７】
つぎに、２次、７次、９次および１１次の主成分に関して、母集団全体の平均顔形状から、主成分ごとに個別に±３σまで基底ベクトルの重み係数を段階的に変化させた場合の相同モデルに対する見掛け年齢の官能値を求めた。見掛け年齢の推定は、美容専門家４名による年齢推定結果の平均値を採用した。例として、９次の基底ベクトルに関して±３σまで１σずつ基底ベクトルの重み係数を変化させた６枚の画像を図２７に示す。上述のように９次の主成分はマイナス方向に進行するほどエイジングの傾向が進行する。図２７では、エイジングが進行する方向（エイジング傾向）を正として、±１．０σから±３．０σと表示している。以下も同様である。
【００７８】
図２８は、エイジング印象因子（基底ベクトル）を変化させたときの仮想形態の年齢印象の変化を表すグラフである。２次、７次、９次、１１次とも、エイジング傾向に＋１σ〜＋３σまで変化させた場合には、いずれも見掛け年齢の官能値が直線的に増大した。逆に、−１σから−３σまで変化させた場合には、７次と９次はほぼ直線的に若化した。しかし、２次と１１次は若化の傾向は見られなかった。以上より、エイジングの進行方向に関しては、２次、７次、９次、１１次の主成分（エイジング印象軸）とも、基底ベクトルの重み係数と見掛け年齢の進行とが正の相関をもって直線的に変化することがわかった。また、７次と９次に関しては、基底ベクトルの重み係数をエイジング傾向と反対符号とすることで見掛け年齢を若化させることもできることがわかった。
【００７９】
また、エイジング印象軸を複数組みあわせた場合にエイジング傾向が更に顕著に進行することがわかった。図２９（ａ）から（ｄ）は、エイジング印象軸を複数組みあわせた相同モデルの斜視図である。これらの図より、同図（ａ）は、２次と９次の重み係数を、ともにエイジング傾向に＋３σとしたものである。同図（ｂ）は、７次と９次の重み係数を、ともにエイジング傾向に＋３σとしたものである。同図（ｃ）は、２次と１１次の重み係数を、ともにエイジング傾向に＋３σとしたものである。そして、同図（ｄ）は、２次、７次、９次および１１次の重み係数を、いずれもエイジング傾向に＋３σとしたものである。これにより、顔印象判定チャート１０を参照して分析した被験者の顔形状がエイジング印象軸を複数有している場合には、エイジング傾向が特に高いと判定することが適当である。
【００８０】
カウンセラー等のユーザは、本実施形態の顔印象判定チャート１０を参照して被験者の顔印象を分析することに加えて、被験者に対して美容情報を提供してもよい。このため、本実施形態の顔印象判定チャート１０は美容情報テーブル６０を更にセットとして含んでいてもよい。
【００８１】
図３０は、美容情報テーブル６０の一例を示す図である。本実施形態で例示する美容情報は、美容成形方法、美容マッサージ方法、ヘアメイク方法、化粧メイク方法のいずれかを含む美容施術方法、毛髪化粧料またはメイク化粧料を表す情報である。具体的には、この美容情報は、被験者の顔形状が属する印象傾向を緩和または促進するための美容施術方法や化粧料（あわせて、美容手段という）を示す情報である。このほか、被験者が保有するエイジング印象軸ごとに適切な毛髪化粧料やメイク化粧料の種類や製品名、またはこれらの使用方法や使用量などを美容情報として出力してもよい。
【００８２】
なお、本発明は上述の実施形態に限定されるものではなく、本発明の目的が達成される限りにおける種々の変形、改良等の態様も含む。
【００８３】
上記実施形態では、全年代の被験者を母集団として主成分分析を行って基底ベクトルおよび重み係数を算出して顔印象判定チャート１０を作成したが、本発明はこれに限られない。各年代で十分な人数の被験者を用意してそれぞれ異なる母集団を生成し、個別に主成分分析を行ってもよい。若年層（たとえば３０歳代）の被験者のみを主成分分析して抽出された基底ベクトルとエイジング印象との相関関係を官能評価することにより、実年齢の進行に伴うエイジング印象の度合いではなく、実年齢以上に加齢して見える、いわゆる"老け顔"の度合いを示す基底ベクトルを抽出することができる。このようにして抽出された基底ベクトルの重み係数を加齢方向または若化方向に強調した画像を第二の頭部画像３０および第一の頭部画像２０とすることにより、年代ごとの被験者のエイジング印象をそれぞれ評価するための顔印象判定チャート１０を作成することができる。
【００８４】
また、上記実施形態では女性のみを被験者としたが、性別により基底ベクトルは異なることから、男性と女性とで母集団を分けて主成分分析をおこなうとよい。そして、かかる年代別や性別の平均顔形状を第三の頭部画像４０として、抽出された基底ベクトルを強調表示することで第一の頭部画像２０または第二の頭部画像３０を生成するとよい。
【００８５】
すなわち、顔印象判定チャート１０においては、第三の頭部画像４０は、年代別または性別の複数の平均頭部画像であってもよい。そして、顔印象判定チャート１０は、これらの複数の第三の頭部画像４０に対応する第一の頭部画像２０および第二の頭部画像３０を含んでもよい。
【００８６】
また、上記実施形態の顔印象判定チャート１０では人の顔のテクスチャを捨象した形状因子のみを表しているが、本発明はこれに限られない。第一の頭部画像２０および第二の頭部画像３０が共通のテクスチャを備えていてもよい。テクスチャには、被験者の肌を模した色彩および模様のパターンを用いるとよい。これにより、被験者の頭部の自然な見た目を模した第一の頭部画像２０および第二の頭部画像３０とすることができる。
【００８７】
また、上記実施形態の顔印象判定チャート１０における第一の頭部画像２０および第二の頭部画像３０は静止画像であるが、本発明はこれに限られない。顔印象判定チャート１０は、第一の頭部画像２０と第二の頭部画像３０とに連続的に遷移する動画像であってもよい。かかる動画像は、第一の頭部画像２０と第二の頭部画像３０との一方から他方に一方的に遷移するものでもよく、または第一の頭部画像２０と第二の頭部画像３０とに交互に繰り返して遷移するものでもよい。
【００８８】
上記実施形態およびその変形例は、以下の技術思想を包含するものである。
（１）人の頭部形状に関する高次の基底ベクトルの少なくとも一つの重み係数が互いに異なる第一および第二の頭部画像が対比可能に配置されていることを特徴とする顔印象判定チャート；
（２）前記高次の基底ベクトルの寄与率が１％以上であり、前記第一および第二の頭部画像は、前記高次を除く寄与率が１％以上の他の基底ベクトルの重み係数が共通である上記（１）に記載の顔印象判定チャート；
（３）前記第一および第二の頭部画像からなる画像ペアを複数組含み、一の組の前記画像ペアにかかる前記第一および第二の頭部画像は、第１の高次の重み係数が互いに異なり、他の組の前記画像ペアにかかる前記第一および第二の頭部画像は、第２の高次の重み係数が互いに異なることを特徴とする上記（１）または（２）に記載の顔印象判定チャート；
（４）顔印象の傾向と、前記重み係数の次数と、の関係を示す印象対応チャートをさらに含む上記（１）から（３）のいずれかに記載の顔印象判定チャート；
（５）前記顔印象の傾向が、被験者の見掛け年齢、実年齢、大人顔もしくは童顔の程度、または小顔印象の程度、のいずれか一以上を含む上記（４）に記載の顔印象判定チャート；
（６）第三の頭部画像をさらに含み、前記第三の頭部画像の前記高次の基底ベクトルの前記重み係数が、前記第一の頭部画像の前記重み係数と前記第二の頭部画像の前記重み係数との中間の大きさである上記（１）から（５）のいずれかに記載の顔印象判定チャート；
（７）前記第三の頭部画像が年代別または性別の複数の平均頭部画像であり、複数の前記第三の頭部画像に対応する前記第一および第二の頭部画像を含む上記（６）に記載の顔印象判定チャート；
（８）前記第一の頭部画像と前記第二の頭部画像とに連続的に遷移する動画像である上記（１）から（７）のいずれかに記載の顔印象判定チャート；
（９）前記第一および第二の頭部画像が、共通のテクスチャを備えている上記（１）から（８）のいずれかに記載の顔印象判定チャート；
（１０）前記第一および第二の頭部画像がシート上に印刷されている上記（１）から（９）のいずれかに記載の顔印象判定チャート；
（１１）前記第一および第二の頭部画像がディスプレイ装置に表示されている上記（１）から（９）のいずれかに記載の顔印象判定チャート。
【符号の説明】
【００８９】
１０：顔印象判定チャート、２０：第一の頭部画像、３０：第二の頭部画像、４０：第三の頭部画像、５０：印象対応チャート、６０：美容情報テーブル
【図２】
0005905702.tif 000002
【図７】
0005905702.tif 000003
【図８】
0005905702.tif 000004
【図３０】
0005905702.tif 000005
【図１】
0005905702.tif 000006
【図３】
0005905702.tif 000007
【図４】
0005905702.tif 000008
【図５】
0005905702.tif 000009
【図６】
0005905702.tif 000010
【図９】
0005905702.tif 000011
【図１０】
0005905702.tif 000012
【図１１】
0005905702.tif 000013
【図１２】
0005905702.tif 000014
【図１３】
0005905702.tif 000015
【図１４】
0005905702.tif 000016
【図１５】
0005905702.tif 000017
【図１６】
0005905702.tif 000018
【図１７】
0005905702.tif 000019
【図１８】
0005905702.tif 000020
【図１９】
0005905702.tif 000021
【図２０】
0005905702.tif 000022
【図２１】
0005905702.tif 000023
【図２２】
0005905702.tif 000024
【図２３】
0005905702.tif 000025
【図２４】
0005905702.tif 000026
【図２５】
0005905702.tif 000027
【図２６】
0005905702.tif 000028
【図２７】
0005905702.tif 000029
【図２８】
0005905702.tif 000030
【図２９】
0005905702.tif 000031